(57)【特許請求の範囲】
【請求項１】
内容液を収容し復元可能にスクイズ性を有する容器本体と、前記容器本体の注出口に取り付けられ前記注出口を閉鎖する板部を有する注出部材が設けられ、
前記注出部材には、前記板部を貫通し内容液が流出する注出孔と、前記注出孔を囲んで他部材と離間して形成され内容物を定量で滴下する滴下ノズルと、前記注出部材の前記滴下ノズルの近傍に取り付けられ前記滴下ノズルから滴下された内容液を塗布するための塗布体が設けられ、前記塗布体と前記滴下ノズルは、前記板部の直径方向に沿って並んで設けられ、
前記注出部材は、前記注出口を閉鎖し前記滴下ノズルが設けられている板部と前記板部に連続し前記注出口の側面に嵌合する筒部が設けられたキャップ本体と、前記キャップ本体の一部にヒンジを介して連結され前記ヒンジを回転軸として開閉可能な蓋部とからなるヒンジキャップであり、前記塗布体と前記滴下ノズルは、前記滴下ノズルが前記ヒンジ近傍に位置して前記板部の直径方向に沿って並んで設けられ、前記蓋部の裏面には前記ノズルに嵌合する栓が突出して設けられていることを特徴とする塗布体付き塗布容器。
【請求項２】
前記ヒンジは、前記キャップ本体外周部よりも外方に突出し、前記キャップ本体と前記蓋部の前記ヒンジ近傍の互いに対向する側縁部には、前記蓋部が１８０°以上開いた状態で互いに係合する一対の係止突起が設けられ、前記蓋部には、天面部から側面部にかけて、前記ヒンジ近傍の表面が切り欠かれた切欠部が形成され、前記切欠部により、前記蓋部が前記キャップ本体の筒部に当接することがなく、前記蓋部が１８０°以上開いて固定される請求項１記載の塗布体付き塗布容器。
【請求項３】
前記塗布体は前記容器本体の外側へ突出し、前記塗布体は、刷毛、発泡体、フェルトまたはヘラである請求項１記載の塗布体付き塗布容器。
【発明の詳細な説明】
【技術分野】
【０００１】
この発明は、液体の薬剤を収容し、収容している薬剤を注出して目的の場所に塗布する塗布体付き滴下容器に関する。
【背景技術】
【０００２】
従来、かゆみ止め等の液体の薬剤は、皮膚に塗布する刷毛等の塗布体が取り付けられた塗布体付き滴下容器に収容されているものがある。このような塗布体付き滴下容器は、内容液が塗布体から滲み出てくるものや塗布体の近傍から塗布体に注出されるものがある。しかし、どの程度の量の内容液を注出したのかわかりにくいものであった。また、容器本体の胴部をスクイズすることによって細口のノズルから内容液が滴下される容器もあり、このような容器は一滴の液量がほぼ一定であるため定量注出が可能である。しかし、滴下した内容液を塗りひろげることができなかった。そこで、注出した内容液の注出量を定量し、なおかつ塗布体で塗りひろげる塗布体付き滴下容器は、以下のように種々のものが提案されている。
【０００３】
例えば、特許文献１に開示されている計量カップと該計量カップ装着容器には、底壁中央部に弁孔を穿設したカップ本体と、このカップ本体の底壁上へ載置固定させた弁付き台が設けられている。弁付き台には弾性連結片付きの弁体が設けられ、この弁体がカップ本体の弁孔を弾性閉鎖させて吐出弁が形成される。弁体には、弁孔内へ遊挿させる棒状物が設けられ、棒状物を押し上げると吐出弁が開くものである。カップ本体の底壁の外側面には、弁孔の周縁に保護筒が設けられ、保護筒の周囲には擦付材が設けられている。この計量カップの内容液を取り出すときは、棒状物を押し上げて吐出弁を弾性に抗して開弁し、内容液を流出させ、擦付材で塗りひろげるものである。
【０００４】
特許文献２に開示されているサイドノック式容器は、中空状の容器本体と、一端側がこの容器本体外に突出し他端側がこの容器本体に支持された塗布部材と、容器本体の側面に変位自在に組み付けられたサイドボタンと、サイドボタンの変位操作に応じて内容物を塗布部材に送給するバルブ機構とを備えたものである。このサイドノック式容器から内容液を取り出すときは、サイドボタンを押して離す操作により、自動的に一定量の内容液が塗布部材に送給され、塗布部材により対象物に塗りひろげるものである。
【先行技術文献】
【特許文献】
【０００５】
【特許文献１】特開２００７−９９３２２号公報
【特許文献２】特開平１１−２０６４５３号公報
【発明の概要】
【発明が解決しようとする課題】
【０００６】
上記背景技術の特許文献１に開示された計量カップと該計量カップ装着容器は、カップ本体が一定の大きさの計量カップとなり、液状洗剤などの一回の使用量が数十ミリリットル程度の一定量が必要な用途に適したものであり、かゆみどめ等の使用量が少量である薬液には適用できないものであった。
【０００７】
特許文献２に開示されたサイドノック式容器は、使用料が少量の薬液に適したものであるが、正確な注出量にコントロールすることができないものであった。
【０００８】
この発明は、上記背景技術の問題点に鑑みてなされたものであり、使用する少量の内容液を定量的に確実に注出し、塗布体で塗りながら広げることができ、ワンタッチで蓋部の開閉が可能で操作が容易な塗布体付き塗布容器を提供することを目的とする。
【課題を解決するための手段】
【０００９】
この発明は、内容液を収容し復元可能にスクイズ性を有する容器本体と、前記容器本体の注出口に取り付けられ前記注出口を閉鎖する板部を有する注出部材が設けられ、前記注出部材には、前記板部を貫通し内容液が流出する注出孔と、前記注出孔を囲んで他部材と離間して形成され内容物を定量で滴下する滴下ノズルと、前記注出部材の前記滴下ノズルの近傍に取り付けられ前記滴下ノズルから滴下された内容液を塗布するための塗布体が設けられ、前記塗布体と前記滴下ノズルは、前記板部の直径方向に沿って並んで設けられている塗布体付き塗布容器である。
【００１０】
前記注出部材は、前記注出口を閉鎖し前記滴下ノズルが設けられている板部と前記板部に連続し前記注出口の側面に嵌合する筒部が設けられたキャップ本体と、前記キャップ本体の一部にヒンジを介して連結され前記ヒンジを回転軸として開閉可能な蓋部とからなるヒンジキャップである。前記塗布体と前記滴下ノズルは、前記滴下ノズルが前記ヒンジ近傍に位置して前記板部の直径方向に沿って並んで設けられ、前記蓋部の裏面には前記ノズルに嵌合する栓が突出して設けられているものである。
【００１１】
前記ヒンジは、前記キャップ本体外周部よりも外方に突出し、前記キャップ本体と前記蓋部の前記ヒンジ近傍の互いに対向する側縁部には、前記蓋部が１８０°以上開いた状態で互いに係合する一対の係止突起が設けられ、前記蓋部は、天面部から側面部にかけて、前記ヒンジ近傍の表面が切り欠かれた切欠部が形成され、前記切欠部により、前記蓋部が前記キャップ本体の筒部に当接することがなく、前記蓋部が１８０°以上開いて固定可能である。
【００１２】
また、前記塗布体は前記容器本体の外側へ突出し、前記塗布体は、刷毛、発泡体、フェルト、ヘラ等である。
【発明の効果】
【００１３】
この発明の塗布体付き容器は、簡単な構造であり、部品点数が少なく製造が容易であり、確実に使用する内容液を定量的に注出し、塗布体で塗りながら広げることができる。しかも、ワンタッチで蓋部の開閉が可能であり、蓋部が１８０°以上開いた状態で固定可能であり、塗布する操作が容易である。
【図面の簡単な説明】
【００１４】
【図１】この発明の一実施形態の塗布体付き容器の部分拡大縦断面図である。
【図２】この実施形態の塗布体付き容器の使用状態を示す部分拡大縦断面図である。
【図３】この実施形態の塗布体付き容器の斜視図である。
【図４】この実施形態の塗布体付き容器の使用状態を示す斜視図である。
【図５】この実施形態の塗布体付き容器の薬剤を滴下する状態を示す斜視図である。
【図６】この実施形態の塗布体付き容器の薬剤をのばす状態を示す斜視図である。
【発明を実施するための形態】
【００１５】
以下、この発明の実施形態について図面に基づいて説明する。図１〜図６はこの発明の一実施形態を示すもので、この実施形態の塗布体付き容器１０は、内容液を収容し復元可能にスクイズ性を有する合成樹脂製の有底筒状の容器本体１２が設けられている。容器本体１２の上端部は、円筒形の注出口１４が、一体に形成されている。注出口１４の外周面には、後述する注出部材１８が螺合される雄ねじ１６が形成されている。
【００１６】
注出口１４には、注出部材１８が取り付けられている。注出部材１８は、注出口１４に取り付けられるキャップ本体１９と、キャップ本体１９にヒンジ４６を介して連結されヒンジ４６を回転軸として開閉可能な蓋部４２とからなるヒンジキャップである。
【００１７】
キャップ本体１９は、注出口１４を閉鎖する板部２２が設けられ、板部２２の周縁は、注出口１４の外周面側に延出し、板部２２の周縁部には注出口１４の外周面に嵌合する筒部２４が一体に形成されている。板部２２の上面２２ａには、周縁部に後述する蓋部４２の側面部４８が嵌合する段部２３が一周して設けられている。板部２２の下面２２ｂには、注出口１４内に嵌合する円筒状のシール筒２０が一体に形成されている。筒部２４の内周面には、注出口１４の雄ねじ１６に螺合する雌ネジ２６が形成されている。
【００１８】
板部２２のシール筒２０の内側には、板部２２の直径方向に沿って、塗布体である刷毛２８と、注出孔３６が並んで設けられている。刷毛２８は、板部２２の上面２２ａからほぼ直角に外側に突出して設けられている。刷毛２８は、固定部材３０によって複数本の毛３２が円柱状に束ねられ、板部２２に設けられた植毛穴３４に固定されている。植毛穴３４は、板部２２の下面２２ｂ側に有底の円筒状にくぼんで形成されている。各毛３２の先端は、先が細くなっている。注出孔３６は、板部２２を上面２２ａと下面２２ｂに貫通して形成され、注出孔３６の周囲には、上面２２ａからほぼ直角に外側に突出する滴下ノズル３８が設けられている。滴下ノズル３８先端部の外径は、内容液である後述する薬剤６４が滴下する際の一滴の容量を定めるものであり、外径が大きいと表面張力による濡れ面積が広くなり、一滴の容量が大きくなる。薬剤６４の使用量に合わせて滴下ノズル３８の外径が調整されている。
【００１９】
筒部２４には、刷毛２８に近い部分に、周囲よりもわずかにくぼむ凹部４０が設けられている。凹部４０は、外筒部２４の途中の高さから板部２２に連続し、外筒部２４と板部２２の間に形成されている段部２３の、凹部４０に対向する部分には、後述する蓋部４２が係止される雌フック４４が設けられている。
【００２０】
筒部２４には、凹部４０と反対側に、蓋部４２がヒンジ４６を介して取り付けられている。蓋部４２は、閉蓋状態で筒部２４に連続する筒状の側面部４８と、側面部４８の上端部を閉鎖する円形の天面部５０が設けられている。天面部５０の周縁部は緩やかな球面状に面取りされ、ヒンジ４６の近傍には、球面状の角部が平面的に切り取られた切欠部５２が形成されている。ヒンジ４６は、筒部２４および蓋部４２の側面部４８からわずかに外側に突出した形状に形成され、ヒンジ４６の幅方向の中心部は空間が設けられている。蓋部４２の切欠部５２の、ヒンジ４６の空間に対向する部分には、側面部４８の延長線上に突出する係止突起５３が形成されている。
【００２１】
蓋部４２の側面部４８には、ヒンジ４６と反対側に、側面部４８から外周方向へ突出する鍔５８が設けられている。側面部４８の内周面の、鍔５８に対向する部分には、キャップ本体１９の雌フック４４に係合する雄フック６０が設けられている。雌フック４４と雄フック６０は、蓋部４２の閉蓋状態で係合されるように位置している。さらに、蓋部４２の裏面には、閉蓋状態で滴下ノズル３８に入れて密閉する突起状の栓６２が設けられている。
【００２２】
キャップ本体１９の筒部２４の、ヒンジ４６の中心部の空間に対向する部分には、筒部２４外周部の一部を切除した係止用凹部５４が形成されている。係止用凹部５４の内側には、蓋部４２の係止突起５３が係止される係止突起５６が設けられている。係止突起５６は、係止用凹部５４の板部２２上面２２ａから離れた下端部に、上方に向かって突出して形成され、係止突起５６は係止用凹部５４の内側面との間に隙間を有して形成されている。
【００２３】
次に、この実施形態の塗布体付き容器１０の使用方法について説明する。先ず、内容液である薬剤６４を製造する製薬メーカー等で、容器本体１２に薬剤６４を注入し、薬剤６４を入れた容器本体１２の注出口１４に、注出部材１８を螺合させて閉鎖する。薬剤６４は、例えば水虫薬やかゆみどめである。
【００２４】
そして、薬剤６４の使用者が、塗布体付き容器１０から薬剤６４を取り出すとき、蓋部４２に設けられている鍔５８を上方に押し上げて雄フック６０、雌フック４４の係合を解除し、ヒンジ４６を回転軸として蓋部４２を回動させる。このとき、蓋部４２にはヒンジ４６の近傍に切欠部５２が形成されているため、キャップ本体１９の筒部２４と蓋部４２とが当接することが無く、蓋部４２は開く角度が１８０°を超えてもさらに回動を続ける。そして、ヒンジ４６の中心部の空間に設けられた蓋部４２の係止突起５３と、筒部２４の係止突起５６が当接して、弾性変形した後で復元し互いに係合し、図２、図４〜図６に示すように蓋部４２が大きく開かれた状態で固定される。このとき、蓋部４２は板部２２よりも容器本体１２に近づく下方に位置している。
【００２５】
そして、図５に示すように容器本体１２を倒立させて、滴下ノズル３８が下に位置するように保持し、容器本体１２の胴部を押してスクイズする。薬剤６４は、キャップ本体１９の板部２２の注出孔３６から押し出されて滴下ノズル３８先端部の周縁に表面張力で滴下せずにたまる。そしてたまる量が一定以上となったとき、滴下ノズル３８から薬剤６４が対象部位６６に滴下する。対象部位６６は、例えば人の皮膚である。
【００２６】
次に容器本体１２を刷毛２８が滴下ノズル３８よりも下に位置するように傾斜させて保持し、容器本体１２を水平方向に移動させて刷毛２８の先端で対象物６６表面に薬剤６４をのばして適した状態にする。使い終わったら、容器本体１２を元の正立状態に戻し、蓋部４２を押し上げて、係止突起５３と係止突起５６の係合を解除し、閉じ方向に回動し、板部２２を覆うように閉じる。このとき、蓋部４２の雄フック６０がキャップ本体１９の雌フック４４に係止され、閉じ状態で固定される。このとき、蓋部４２の栓６２が滴下ノズル３８に差し込まれ、薬剤６４を液密に収容する。
【００２７】
この実施形態の塗布体付き容器１０によれば、簡単な構造であり、部品点数が少なく製造が容易であり、確実に薬剤６４を定量的に注出し、刷毛２８で塗りながら対象物６６に広げることができる。薬剤６４を取り出すとき、容器本体１２を倒立させてスクイズして滴下するだけで少量ずつ取り出すことができ、一滴の液量が滴下ノズル３８先端部の外径を調整して任意の量に設定されているため、滴下した回数を数えて定量注出することができる。このように定量注出した薬剤６４を刷毛２８で塗りながら対象物６６に塗り広げることが出来、適切な使用状態にすることができる。また、注出部材１８はヒンジキャップなので、ワンタッチで蓋部４２の開閉が可能であり、蓋部４２が１８０°以上開いた状態で、キャップ本体１９の筒部２４に固定可能であり、薬剤６４を滴下して塗布する操作の際に、蓋部４２が邪魔にならず、操作が容易である。使用しないときは、蓋部４２を閉じるだけで液密に閉鎖され、簡単で確実に薬剤６４を収容することができる。スクリューキャップのように回転させることがないので、滴下ノズル３８をセンターにする必要がなく、刷毛２８とのレイアウトを自由に取ることができる。
【００２８】
なお、この発明の塗布体付き容器は、前記実施の形態に限定されるものではなく、各部材の形状等変更可能であり、例えば筒部の係止突起と蓋部の係止突起の形状は、互いに確実に係合し一定の力がかかると解除するものであればよい。刷毛の取付方法や、刷毛の位置や数等も、自由に変更可能である。また塗布体は、刷毛、発泡体、フェルト、ヘラ等以外でもよく、薬剤の粘度や使用量にあわせて自由に変更可能である。
【符号の説明】
【００２９】
１０  塗布体付き容器
１２  容器本体
１４  注出口
１６  雄ねじ
１８  注出部材
１９  キャップ本体
２０  シール筒
２２  板部
２４  筒部
２６  雌ネジ
２８  刷毛
３６  注出孔
３８  滴下ノズル
４２  蓋部
４６  ヒンジ
５０  天面部５０
５２  切欠部
５３，５６  係止突起
【図１】
0005917065.tif 000002
【図２】
0005917065.tif 000003
【図３】
0005917065.tif 000004
【図４】
0005917065.tif 000005
【図５】
0005917065.tif 000006
【図６】
0005917065.tif 000007